(57)【要約】  １つの場合における保護ヘッドギヤは、前頭部品（４）によって連結される一対の側頭部品（２、３）と、前頭部品（４）から延びる頭頂部品（５）とを有する主本体部（１）を備える。本体部（１）は着用者の頭を包囲するように成形される。主本体部（１）は、連続気泡ポリウレタン発泡体材料の内側シート（１０）と、外側バリア層（１３）と、内側層（１０）と外側層（１３）との間に連続気泡ポリウレタン発泡体材料の一部分（２１）を備える中間部分とを備える。連続気泡ポリウレタン発泡体は、衝撃の間に選手の頭へと伝えられるＧの力のエネルギーを有意に低下させる１００〜３００ｋｇ／ｍ３の密度を有する。【選択図】図１０
2019506544.tif 000002
【特許請求の範囲】
【請求項１】
内側ウィッキング層と、
外側バリア層と、
前記内側層と前記外側層との間の中間部分であって、１００〜３００ｋｇ／ｍ３の密度を有する耐衝撃性発泡体を備える中間部分と
を備える主本体部を備える保護ヘッドギヤ。
【請求項２】
前記耐衝撃性発泡体は連続気泡発泡体である、請求項１に記載の保護ヘッドギヤ。
【請求項３】
前記耐衝撃性発泡体はポリウレタン発泡体である、請求項１または２に記載の保護ヘッドギヤ。
【請求項４】
前記中間部分は、１５０〜２５０ｋｇ／ｍ３の密度を有する耐衝撃性連続気泡ポリウレタン発泡体を備える、請求項１から３のいずれか一項に記載の保護ヘッドギヤ。
【請求項５】
前記中間部分は、約１９０ｋｇ／ｍ３の密度を有する耐衝撃性連続気泡ポリウレタン発泡体を備える、請求項１から４のいずれか一項に記載の保護ヘッドギヤ。
【請求項６】
前記中間部分は内側発泡体層と外側発泡体層とを備える、請求項１から５のいずれか一項に記載の保護ヘッドギヤ。
【請求項７】
前記内側層は連続気泡ポリウレタン発泡体を備える、請求項１から６のいずれか一項に記載の保護ヘッドギヤ。
【請求項８】
前記内側発泡体層は、１００〜３００ｋｇ／ｍ３の密度を有する耐衝撃性連続気泡ポリウレタン発泡体からなる、請求項７に記載の保護ヘッドギヤ。
【請求項９】
前記内側発泡体層は、１５０〜２５０ｋｇ／ｍ３の密度を有する耐衝撃性連続気泡ポリウレタン発泡体からなる、請求項７または８に記載の保護ヘッドギヤ。
【請求項１０】
前記内側層は、約１９０ｋｇ／ｍ３の密度を有する耐衝撃性連続気泡ポリウレタン発泡体からなる、請求項６から８のいずれか一項に記載の保護ヘッドギヤ。
【請求項１１】
前記内側連続気泡発泡体層は第１の厚さを有し、前記外側連続気泡発泡体部分は、前記第１の厚さより大きい第２の厚さを有する、請求項６から１０のいずれか一項に記載の保護ヘッドギヤ。
【請求項１２】
前記第２の厚さは、前記第１の厚さの１．５倍から５倍までである、請求項１１に記載の保護ヘッドギヤ。
【請求項１３】
前記第２の厚さは、前記第１の厚さの１．５倍から３倍までである、請求項１１または１２に記載の保護ヘッドギヤ。
【請求項１４】
前記第２の厚さは、前記第１の厚さの約２倍である、請求項１１から１３のいずれか一項に記載の保護ヘッドギヤ。
【請求項１５】
前記内側層は厚さが３ｍｍであり、前記中間部分の断片は厚さが６ｍｍである、請求項１１から１４のいずれか一項に記載の保護ヘッドギヤ。
【請求項１６】
前記内側発泡体層は穿孔される、請求項６から１５のいずれか一項に記載の保護ヘッドギヤ。
【請求項１７】
前記内側発泡体層は、１ｃｍ２あたり３〜５個の孔を備える、請求項１６に記載の保護ヘッドギヤ。
【請求項１８】
前記孔は直径が２〜４ｍｍである、請求項１６または１７に記載の保護ヘッドギヤ。
【請求項１９】
前記内側層は、連続気泡発泡体の前記内側層に接合されるウィッキング織物を備える、請求項６から１８いずれか一項に記載の保護ヘッドギヤ。
【請求項２０】
前記外側発泡体層は複数の離間された発泡体断片を備える、請求項６から１９のいずれか一項に記載の保護ヘッドギヤ。
【請求項２１】
前記外側バリア層は複数のポケットを備える、請求項１から２０のいずれか一項に記載の保護ヘッドギヤ。
【請求項２２】
前記中間部分は発泡体断片を備え、前記外側バリア層のポケットは前記発泡体断片を受け入れるように構成される、請求項２１に記載の保護ヘッドギヤ。
【請求項２３】
前記外側バリア層は独立気泡発泡体を備える、請求項１から２２のいずれか一項に記載の保護ヘッドギヤ。
【請求項２４】
前記外側バリア層はポリエチレンの独立気泡発泡体を備える、請求項２３に記載の保護ヘッドギヤ。
【請求項２５】
前記バリア層に接合される外側織物を備える、請求項１から２４のいずれか一項に記載の保護ヘッドギヤ。
【請求項２６】
前記主本体部は、前頭部品によって連結される一対の側頭部品と、前記前頭部品から延びる頭頂部品とを備え、前記主本体部は着用者の頭を包囲するように成形される、請求項１から２５のいずれか一項に記載の保護ヘッドギヤ。
【請求項２７】
前記主本体部の各側部品は、着用者の耳との位置合わせのために複数の貫通孔を備える、請求項２６に記載の保護ヘッドギヤ。
【請求項２８】
前記主本体部の各側部品は、顎ストラップのための取付部を備える、請求項２６または２７に記載の保護ヘッドギヤ。
【請求項２９】
前記顎ストラップは交換可能である、請求項２８に記載の保護ヘッドギヤ。
【請求項３０】
各側部品は、その側縁において紐孔補強部品を備える、請求項２５から２９のいずれか一項に記載の保護ヘッドギヤ。
【請求項３１】
前記主本体部は、前頭部品によって連結される一対の側頭部品を備え、前記主本体部は、着用者の両側面、後面、および前面を包み込むように構成される、請求項１から２５のいずれか一項に記載の保護ヘッドギヤ。
【請求項３２】
前記本体部は、耳の上方で頭を包み込むように構成される、請求項２９に記載の保護ヘッドギヤ。
【請求項３３】
各側部品は、その側縁において紐孔補強部品を備える、請求項２９または３０に記載の保護ヘッドギヤ。
【請求項３４】
前記主本体部は、前頭部品によって連結される一対の側頭部品を備え、前記主本体部は、着用者の両側面、後面、および前面を包み込むように構成される、請求項１から２５のいずれか一項に記載の保護ヘッドギヤ。
【請求項３５】
前記側頭部品と前記前頭部品とは、着用者の頭頂において、織物などの材料によってさらに連結される、請求項３４に記載の保護ヘッドギヤ。
【請求項３６】
前記材料は、前記主本体部の前後の間で延びる第１の部分と、前記主本体部の両側部の間で延びる第２の部分とを有する十字形を形成する、請求項３５に記載の保護ヘッドギヤ。
【請求項３７】
前記主本体部の各側部品は、前記本体部の他の部分より大きい厚さを有する、請求項３６に記載の保護ヘッドギヤ。
【請求項３８】
前記主本体部の各側部品は、着用者の耳との位置合わせのために複数の貫通孔を備える、請求項３７に記載の保護ヘッドギヤ。
【請求項３９】
前記主本体部の各側部品は、顎ストラップのための取付部を備える、請求項３４から３８のいずれか一項に記載の保護ヘッドギヤ。
【請求項４０】
前記顎ストラップは交換可能である、請求項３９に記載の保護ヘッドギヤ。
【請求項４１】
各側部品は、その側縁において紐孔補強部品を備える、請求項３４から４０のいずれか一項に記載の保護ヘッドギヤ。
【請求項４２】
前記主本体部は、前頭部品によって連結される一対の側頭部品と、前記前頭部品から延びる頭頂部品とを備え、前記主本体部は着用者の頭を包囲するように成形される、請求項１から２５のいずれか一項に記載の保護ヘッドギヤ。
【請求項４３】
前記主本体部の各側部品は、前記本体部の他の部分より大きい厚さを有する、請求項４２に記載の保護ヘッドギヤ。
【請求項４４】
前記主本体部の各側部品は、着用者の耳との位置合わせのために複数の貫通孔を備える、請求項４２または４３に記載の保護ヘッドギヤ。
【請求項４５】
前記主本体部の各側部品は、顎ストラップのための取付部を備える、請求項４２から４４のいずれか一項に記載の保護ヘッドギヤ。
【請求項４６】
前記顎ストラップは交換可能である、請求項４５に記載の保護ヘッドギヤ。
【請求項４７】
各側部品は、その側縁において紐孔補強部品を備える、請求項４２から４６のいずれか一項に記載の保護ヘッドギヤ。
【請求項４８】
衝撃の間に着用者の頭へと伝えられるＧの力のエネルギーは有意に低下させられる、請求項１から４７のいずれか一項に記載の保護ヘッドギヤ。
【請求項４９】
衝撃の間に着用者の頭へと伝えられるＧの力のエネルギーは１５０未満である、請求項１から４８のいずれか一項に記載の保護ヘッドギヤ。
【請求項５０】
衝撃の間に着用者の頭へと伝えられるＧの力のエネルギーは１２０未満である、請求項１から４８のいずれか一項に記載の保護ヘッドギヤ。
【発明の詳細な説明】
【背景技術】
【０００１】
脳への外傷と関連する臨床症候群についての専門用語に関して、スポーツ団体、科学団体、および臨床団体の間では合意がなされていない。軽度外傷性脳損傷（ｍＴＢＩ）という用語が、脳震盪としばしば互換的に用いられている。軽度外傷性脳損傷は、臨床的に認識可能な身体的症状、認知症状、および情動性症状をもたらす頭への怪我として定義されている。軽度外傷性脳損傷は、必ずしも意識消失（ＬＯＣ）をもたらさない（Ｋａｕｆｍａｎ、２０１３年）。
【０００２】
脳震盪および頭の怪我は、大きな衝撃のスポーツにおいて大きな問題となっている。衝撃の間に選手の頭へと伝えられるＧの力のエネルギーが、スポーツにより引き起こされる脳の怪我における主な要因の内の１つであることは、医療専門者の間での共通した意見である。
【０００３】
２０１５年／２０１６年のシーズンについてのラグビー・フットボール・ユニオン（ＲＦＵ）の怪我の監査報告書は、連続５シーズンにわたって、脳震盪が英国プレミアシップラグビーにおける選手によって被られた最も一般的な怪我であり、すべての試合の怪我の２５％を構成することを示す。試合での脳震盪は１１３件あった。研究に含まれる選手の１７％が１回以上の脳震盪を被っており、それらの内の８６％が試合の競技中に起こっている。出典：ｈｔｔｐ：／／ｗｗｗ．ｅｎｇｌａｎｄｒｕｇｂｙ．ＣＯＭ／ｍｍ／Ｄｏｃｕｍｅｎｔ／Ｇｅｎｅｒａｌ／Ｇｅｎｅｒａｌ／０１／３２／２５／１７／１５１６＿ＰＲＩＳＰ＿Ａｎｎｕａｌ＿Ｒｅｐｏｒｔ＿ＦＩＮＡＬ（ｗｉｔｈｃｏｎｔｅｎｔｓｐａｇｅ）＿Ｅｎｇｌｉｓｈ．ｐｄｆ
脳震盪は、著しい公衆の注目を集めると共に、スポーツ医学の医師、ラグビー選手、およびワールドラグビーなどが直面する最も厄介な怪我になっている非常に重大な問題である。脳震盪の頻度および衝撃に関わる問題は、選手の長期間の健康および安全性への繰り返される脳震盪の影響の調査を開始させることになった。
【０００４】
ラグビーにおける保護ヘッドギヤは、「スクラムキャップ」と一般的に称されている。スクラムキャップは、切り傷、擦り傷、および潰れた耳を防止するように意図されている。
【０００５】
現在利用可能なスクラムキャップは、Ｗｏｒｌｄ  Ｒｕｇｂｙ  Ｒｅｇｕｌａｔｉｏｎ  １２（２０１７年１月３日に最終更新されている）によって管理されている。
Ｗｏｒｌｄ  Ｒｕｇｂｙ  Ｒｅｇｕｌａｔｉｏｎは、ヘッドギヤのあらゆる部分が圧縮されていないときに１ｃｍより厚くならないことと、ヘッドギヤのあらゆる部分が１立方メートルあたり４５キログラムを超える密度を有していないこととを条件として、選手が柔らかく薄い材料から作製されたヘッドギヤを着用できることを明記している。しかしながら、公知のヘッドギヤは、最低限の衝撃保護を提供するだけであり、脳震盪の発生を低下させていない。
【０００６】
ラグビーのヘッドギヤは保護を提供するように意図されているが、脳震盪はこのスポーツでなおも蔓延している。Ｉｎｔｅｒｎａｔｉｏｎａｌ  Ｒｕｇｂｙ  Ｂｏａｒｄ（ＩＲＢ）によって資金提供された４０００人の選手の２０１１年の研究は、現在のヘッドギヤが「表面的なかすり傷を防止し得るが、脳震盪を防止しないであろう」ことを見出した。（参照：ｈｔｔｐ：／／ｗｗｗ．ｉｒｉｓｈｅｘａｍｉｎｅｒ．ＣＯＭ／ｓｐｏｒｔ／ｒｕｇｂｙ／ｍｅｄｉｃａｌ−ｓｔｕｄｙ−ｆｉｎｄｓ−ｓｃｒｕｍ−ｃａｐｓ−ｆａｉｌ−ｔｏ−ｐｒｅｖｅｎｔ−ｈｅａｄ−ｉｎｊｕｒｉｅｓ−１７７７３３．ｈｔｍｌ）
衝撃保護の欠如に加えて、選手によって確認されている従来のスクラムキャップによるいくつかの追加的な問題がある。これらの問題の一部は次の通りである。
【０００７】
・選手がヘッドギヤを着用するのを熱すぎると感じる。
・選手の聴力に影響する。
・選手の周辺視野に影響する。
【０００８】
・不快でフィット感が悪いなど。
ラグビー選手は、競技を通じて審判およびチームメイトの声を聞く必要があり、はっきりと見えて素早く移動できることも必要である。
【０００９】
選手への脳震盪からの適切な保護を達成する技術的な問題は、ラグビー選手の実用的な要件と併せて、まだ満足されていない。
【発明の概要】
【発明が解決しようとする課題】
【００１０】
本発明は、これらの問題の少なくとも一部に対処するラグビーのヘッドギヤの保護を提供することに向けられている。本発明は、頭への衝撃を伴う他のスポーツにおいて保護を提供するヘッドギヤを提供することにも向けられている。
【課題を解決するための手段】
【００１１】
本発明によれば、
内側ウィッキング層と、
外側バリア層と、
内側層と外側層との間の中間部分であって、１００〜３００ｋｇ／ｍ３の密度を有する耐衝撃性発泡体を備える中間部分と
を備える主本体部を備える保護ヘッドギヤが提供される。
【００１２】
耐衝撃性発泡体は好ましくは連続気泡発泡体である。一実施形態では、耐衝撃性発泡体はポリウレタン発泡体である。
１つの場合には、中間部分は、１５０〜２５０ｋｇ／ｍ３の密度を有する耐衝撃性連続気泡ポリウレタン発泡体を備え、中間部分は、約１９０ｋｇ／ｍ３の密度を有する耐衝撃性連続気泡ポリウレタン発泡体を備えてもよい。
【００１３】
一実施形態では、中間部分は内側発泡体層と外側発泡体層とを備える。
内側層は連続気泡ポリウレタン発泡体を備えてもよい。内側発泡体層は、１００〜３００ｋｇ／ｍ３の密度、１５０〜２５０ｋｇ／ｍ３の密度、または約１９０ｋｇ／ｍ３の密度を有する耐衝撃性連続気泡ポリウレタン発泡体からなり得る。
【００１４】
一実施形態では、内側連続気泡発泡体層は第１の厚さを有し、外側連続気泡発泡体部分は、第１の厚さより大きい第２の厚さを有する。
１つの場合には、第２の厚さは、第１の厚さの１．５倍から５倍までであり、第１の厚さの１．５倍から３倍までである。第２の厚さは、第１の厚さの約２倍であり得る。１つの場合には、内側層は厚さが３ｍｍであり、中間部分の断片は厚さが６ｍｍである。
【００１５】
一実施形態では、内側発泡体層は穿孔される。一部の場合での内側発泡体層は、１ｃｍ２あたり３〜５個の孔を備える。孔は直径が２〜４ｍｍであり得る。
一実施形態では、内側層は、連続気泡発泡体の内側層に接合されるウィッキング織物を備える。
【００１６】
１つの場合には、外側発泡体層は複数の離間された発泡体断片を備える。
一実施形態では、外側バリア層は複数のポケットを備える。
１つの場合には、中間部分は発泡体断片を備え、外側バリア層のポケットは発泡体断片を受け入れるように構成される。
【００１７】
外側バリア層は独立気泡発泡体を備えてもよい。
１つの場合には、外側バリア層はポリエチレンの独立気泡発泡体を備える。
一実施形態では、外側織物はバリア層に接合される。
【００１８】
１つの場合には、主本体部は、前頭部品によって連結される一対の側頭部品と、前頭部品から延びる頭頂部品とを備え、主本体部は着用者の頭を包囲するように成形される。主本体部の各側部品は、着用者の耳との位置合わせのために複数の貫通孔を備えてもよい。主本体部の各側部品は、顎ストラップのための取付部を備えてもよい。顎ストラップは交換可能である。
【００１９】
１つの場合には、各側部品は、その側縁において紐孔補強部品を備える。
別の実施形態では、主本体部は、前頭部品によって連結される一対の側頭部品を備え、主本体部は、着用者の両側面、後面、および前面を包み込むように構成される。本体部は、耳の上方で頭を包み込むように構成され得る。各側部品は、その側縁において紐孔補強部品を備えてもよい。
【００２０】
さらなる実施形態では、主本体部は、前頭部品によって連結される一対の側頭部品を備え、主本体部は、着用者の両側面、後面、および前面を包み込むように構成される。側頭部品と前頭部品とは、着用者の頭頂において、織物などの材料によってさらに連結されてもよい。材料は、主本体部の前後の間で延びる第１の部分と、主本体部の両側部の間で延びる第２の部分とを有する十字形を形成してもよい。
【００２１】
１つの場合には、主本体部の各側部品は、本体部の他の部分より大きい厚さを有する。主本体部の各側部品は、着用者の耳との位置合わせのために複数の貫通孔を備えてもよい。主本体部の各側部品は、顎ストラップのための取付部を備えてもよい。顎ストラップは好ましくは交換可能である。各側部品は、その側縁において紐孔補強部品を備えてもよい。
【００２２】
別の実施形態では、主本体部は、前頭部品によって連結される一対の側頭部品と、前頭部品から延びる頭頂部品とを備え、主本体部は着用者の頭を包囲するように成形される。主本体部の各側部品は、本体部の他の部分より大きい厚さを有し得る。主本体部の各側部品は、着用者の耳との位置合わせのために複数の貫通孔を備えてもよい。主本体部の各側部品は、顎ストラップのための取付部を備えてもよい。顎ストラップは好ましくは交換可能である。各側部品は、その側縁において紐孔補強部品を備えてもよい。
【００２３】
本発明の保護ヘッドギヤでは、衝撃の間に着用者の頭へと伝えられるＧの力のエネルギーは有意に低下させられる。衝撃の間に着用者の頭へと伝えられるＧの力のエネルギーは、一部の場合では、１５０未満、１２０未満である。
【００２４】
本発明によれば、内側層と、外側バリア層と、内側層と外側層との間の耐衝撃性発泡体の中間部分とを備える主本体部を備える保護ヘッドギヤが提供される。好ましい実施形態では、中間部分は耐衝撃性連続気泡ポリウレタン発泡体を備える。好ましくは、連続気泡ポリウレタン発泡体は１００〜３００ｋｇ／ｍ３の密度を有する。好ましくは、内側層はウィッキング材料からなる。
【００２５】
一実施形態では、中間部分は、１５０〜２５０ｋｇ／ｍ３の密度を有する耐衝撃性連続気泡ポリウレタン発泡体を備える。
１つの場合には、内側層は連続気泡ポリウレタン発泡体のシートを備える。内側層は、１００〜３００ｋｇ／ｍ３の密度を有する耐衝撃性連続気泡ポリウレタン発泡体のものであり得る。１つの場合には、内側層は、１５０〜２５０ｋｇ／ｍ３の密度を有する耐衝撃性連続気泡ポリウレタン発泡体からなる。
【００２６】
好ましい実施形態では、内側発泡体層は穿孔される。１つの場合での内側発泡体シートは、１ｃｍ２あたり３〜５個の孔を備える。孔は典型的には直径が２〜４ｍｍである。
一実施形態では、内側層は、連続気泡発泡体の内側層に接合されるウィッキング織物を備える。
【００２７】
１つの場合には、外側バリア層は複数のポケットを備える。一実施形態では、中間発泡体部分はポケットに挿入される部分を備える。
一実施形態では、外側バリア層は独立気泡発泡体を備える。１つの場合での外側バリア層はポリエチレンの独立気泡発泡体を備える。１つの場合には、外側織物は、独立気泡発泡体のものであり得る外側バリア層に接合される。
【００２８】
一実施形態では、内側連続気泡発泡体層は第１の厚さを有し、外側連続気泡発泡体部分は、第１の厚さより大きい第２の厚さを有する。１つの場合における第２の厚さは、第１の厚さの１．５倍から５倍までであり、第１の厚さの１．５倍から３倍までである。１つの場合には、第２の厚さは、第１の厚さの約２倍である。
【００２９】
一実施形態では、主本体部は、着用者の頭を包囲するように成形され、前頭部品によって連結される一対の側頭部品と、前頭部品から延びる頭頂部品とを備える。
一実施形態では、主本体部の各側部品は、着用者の耳との位置合わせのために複数の貫通孔を備える。
【００３０】
１つの場合には、主本体部の各側部品は、顎ストラップのための取付部を備える。好ましくは、顎ストラップは交換可能である。
一実施形態では、各側部品は、その側縁において紐孔補強部品を備える。
【００３１】
本発明は、添付の図面を参照しつつ、単なる例を用いて提供されている本発明の実施形態の以下の記載から、より明確に理解されるものである。
【図面の簡単な説明】
【００３２】
【図１】本発明によるラグビーのヘッドギヤなどの保護ヘッドギヤの立面図である。
【図２】本発明によるラグビーのヘッドギヤなどの保護ヘッドギヤの立面図である。
【図３】本発明によるラグビーのヘッドギヤなどの保護ヘッドギヤの立面図である。
【図４】本発明によるラグビーのヘッドギヤなどの保護ヘッドギヤの立面図である。
【図５】本発明によるラグビーのヘッドギヤなどの保護ヘッドギヤの立面図である。
【図６】本発明によるラグビーのヘッドギヤなどの保護ヘッドギヤの立面図である。
【図７】本発明によるラグビーのヘッドギヤなどの保護ヘッドギヤの立面図である。
【図８】ヘッドギヤを形成するために使用される組立体の平面図である。
【図９】ヘッドギヤの側部品の平面図である。
【図１０】ヘッドギヤの側部品の分解図である。
【図１１】側部品の外部要素の平面図である。
【図１２】側部品の穿孔された発泡体要素の平面図である。
【図１３】側部品の穿孔された発泡体要素の詳細の拡大図である。
【図１４】側部品の外側層、連続気泡発泡体要素、および穿孔された発泡体要素の組立の拡大図である。
【図１５】ヘッドギヤの頭頂部品の平面図である。
【図１６】ヘッドギヤの頭頂部品の分解図である。
【図１７】頭頂部品の外部要素の平面図である。
【図１８】頭頂部品の穿孔された発泡体要素の平面図である。
【図１９】ヘッドギヤの顎ストラップの一連の図である。
【図２０】ヘッドギヤの紐孔補強パッチの図である。
【図２１】ヘッドギヤのストラップ補強パッチの図である。
【図２２】本発明によるラグビーのヘッドギヤの頭頂部品の分解図である。
【図２３】本発明のヘッドギヤで使用される連続気泡発泡体の顕微鏡写真である。
【図２４】後脚の足の滑りの棒グラフである。
【図２５】梁を渡る時間の棒グラフである。
【図２６】進んだ距離の棒グラフである。
【図２７】ＮＥＦＬレベルの棒グラフである。
【図２８】ＴＮＦ−αレベルの棒グラフである。
【図２９】落下試験についての衝撃試験結果の棒グラフである。
【図３０】回転加速試験についての試験結果の表である。
【図３１】本発明によるサッカーのヘッドギヤなどの保護ヘッドギヤの側面図である。
【図３２】本発明によるサッカーのヘッドギヤなどの保護ヘッドギヤの平面図である。
【図３３】本発明によるボクシングのヘッドギヤなどの保護ヘッドギヤの立面図である。
【図３４】本発明によるボクシングのヘッドギヤなどの保護ヘッドギヤの平面図である。
【図３５】本発明による総合格闘技のヘッドギヤなどの保護ヘッドギヤの立面図である。
【図３６】本発明による総合格闘技のヘッドギヤなどの保護ヘッドギヤの平面図である。
【発明を実施するための形態】
【００３３】
本出願人らは、一見したところ典型的なラグビーのスクラムキャップに異ならないように見えるという利益を有するラグビーのスクラムキャップを記載する。様々な実施形態において、スクラムキャップは有意に厚いことはなく、適切な聴力および視界を可能にし、選手にとってスポーツで引き起こされるｍＴＢＩ／脳震盪における主な危険因子、すなわち、頭への衝撃を、有意に低下させる。
【００３４】
ｍＴＢＩ／脳震盪の危険性を低下させるために頭に必要とされる保護を達成するために、スクラムキャップの密度の増加が必要とされることが分かっている。これは、材料の組合せによって達成される。
【００３５】
本発明のヘッドギヤは、公知のスクラムキャップにおける衝撃性能に対して大きな改善を示した。本発明のヘッドギヤは、臨床的に測定可能なｍＴＢＩ指標（行動および神経学的血液生体指標の両方）における有意な変化の発生率および／または重度を低下させ、それによって選手の能力を高め、選手の安全性を最大化する。本発明のヘッドギヤは、選手の頭に伝えられる直線的な衝撃および回転衝撃のＧの力を有意に低下させる。
【００３６】
図面を参照に、最初に図面の内の図１〜図２１を参照すると、１つの場合においてラグビーのヘッドギヤである本発明による保護ヘッドギヤが図示されている。ヘッドギヤは、着用者の頭を包囲する主本体部１を備えている。主本体部１は、前頭部品４によって連結される一対の側頭部品２、３と、前頭部品４から延びる頭頂部品５とを有する。頭頂部品５は、側部品および前頭部品から別に形成され、例えば縫い付けによって、前頭部品４に後で結合され得る。
【００３７】
主本体部１の各々の部品はいくつかの層を備えている。連続気泡ポリウレタン発泡体材料の内側発泡体層１０がある。内側発泡体層１０は、好ましくは１ｃｍ２あたり約３〜５個の孔である複数の孔１２で穿孔されている発泡体のシートを備えている。孔は、着用者によって発生させられる汗を逃すのを助け、好ましくは直径が２〜４ｍｍである。ナイロンのウィッキング織物１１などのウィッキング織物は、例えば、適切な接着剤を使用して、内側の穿孔された発泡体シート１０の着用者に係合する面に接合される。
【００３８】
内側発泡体層は、追加的な衝撃保護を頭保護体に提供する。穿孔された孔は、汗が選手の頭から引き離されるのを助けることで、選手の頭の熱を低下させることへの支援もする。穿孔された孔は、頭保護体の全質量を低下させることへの支援もする。
【００３９】
主本体部１は、この場合にはポリエチレン発泡体などの独立気泡発泡体材料からなる外側バリア層１３も備えている。外側バリア層１３は、複数の外方を向くポケット１４を提供するように形成されている。伸縮性のあるナイロンなどの外側織物１５が、バリア発泡体層１３の外面に、例えばホットメルト接着剤を用いるといった、適切な手法で接合される。ヘッドギヤは、硬いというよりは柔らかい外殻を有する。
【００４０】
バリア層１３は、中間発泡体断片２１を所定位置で保持するポケット１４を形成するように成型されている。外側バリア層１３は、使用中に過度の雨水および水分が頭保護体に入るのを防止するために防水である独立気泡ポリエチレン発泡体から作製され得る。これは、頭保護体の質量が湿潤条件において増加せず、選手にとって快適なままとなることを確保する。
【００４１】
連続気泡ポリウレタン発泡体材料の中間部分２０が外側バリア層１３と内側層との間に提供される。この場合、中間発泡体部分２０は、外側バリア／層１３のポケット１４において係合する大きさとされている複数の部分／断片２１を備えている。
【００４２】
内側発砲体層と中間発泡体部分との両方の連続気泡発泡体は、分岐ポリエーテル基ポリオールおよび鎖延長剤からなる耐衝撃性ポリウレタン発泡体である。発泡体は、１００〜３００ｋｇ／ｍ３の範囲、好ましくは１５０〜２５０ｋｇ／ｍ３の範囲、最も好ましくは約１９０ｋｇ／ｍ３の密度を有する。このような発泡体は、Ｄｏｗ  Ａｕｔｏｍｏｔｉｖｅ、Ｄｏｗ  Ｃｏｒｎｉｎｇ、Ｒｏｇｅｒｓ  Ｃｏｒｐｏｒａｔｉｏｎ、Ｓｏｒｂｏｔｈａｎｅ  Ｉｎｃ．、およびＤｕＰｏｎｔを含む供給者から利用可能である。
【００４３】
中間発泡体部分２０は、製品の衝撃保護の大部分を提供する。発泡体は、頭保護体が軽量であることを確保する比較的小さい密度を有する。発泡体は触れると柔らかく、頭に着用することを快適にする。発泡体の柔らかさは、また、製造の間に頭の外形の輪郭になるのを容易にする。スポーツ用ヘルメットで一般的に使用されている圧潰可能な発泡体と異なり、発泡体２０は、複数の衝撃から回復することができ、試合を通じて衝撃保護を提供できる。研究は、ラグビーの試合における頭への衝撃の平均回数が７７回であることを示す。
【００４４】
本発明のヘッドギヤは、ヘッドギヤの構造で使用される連続気泡発泡体の気泡微細構造を通じて衝撃エネルギーを消散させる。連続気泡発泡体は硬い区分と柔らかい区分とを有してもよい。柔らかい区分は衝撃のエネルギーを吸収および消散する。硬い区分は、発泡体に剛性、形、および形態を提供する。連続気泡発泡体の典型的な顕微鏡写真が図２３に示されている。
【００４５】
内側の連続気泡の穿孔された発泡体シート１０は第１の厚さを有し、中間の連続気泡発泡体部分の断片２１は、頭保護体の重量を最小とするために、１．５倍から５倍まで、好ましくは１．５倍から３倍まで、典型的には約２倍の程度で、第１の厚さより大きい第２の厚さを有する。１つの場合には、穿孔された発泡体シート１０は厚さが３ｍｍであり、発泡体部分の断片は厚さが６ｍｍである。
【００４６】
側頭部品２、３は、ヘッドギヤが着用者の聴力と干渉しないことを確保するために、着用者の耳との位置合わせのための複数の貫通孔３０を有する。各側部品２、３は、顎ストラップ４０をヘッドギヤに取り付けるためのスロット３５も備えている。本発明では、顎ストラップは交換可能である。利点は、ベルクロ（登録商標）の接着性が使用中に摩損のために低下する場合、顎ストラップは頭保護体を交換する必要なく交換できる。顎ストラップの孔３５の領域でヘッドギヤを再補強するための補強断片３６もある。側部品２、３の各々はその側縁において紐孔補強部品３９も有しており、その紐孔補強部品３９を通じて、紐４５が、例えば図７において示されているように導かれる。紐４５は、ヘッドギヤの大きさを着用者に合うように調節させることができる。
【００４７】
本発明による保護ヘッドギヤを製造するために、外側織物層が、外側バリア層１３を形成するために使用されるポリエチレン発泡体のシートに積層される。積層体は、次いで、複数のポケット１４を提供するために成型される。積層体は、頭頂５、側部品２、３、および前頭４の形を提供するために打ち抜かれる。側部品２、３および前頭部品４は、一方の耳から前頭を周って他方の耳へと包み込む単一の断片としてすべて形成されている。
【００４８】
独立気泡のポリウレタン発泡体のシートが、次いで、バリア層１３において形成されるポケット２１に一致するように成形される断片２１へと切断される。中間発泡体断片２１は、ポケット２１へと挿入され、例えば接着剤を用いて、接合される。次いで、頭頂部品５と側部品２、３、５とが、例えば縫い付けによって、一体に組み立てられる。ストラップ４０および紐４５が保護ヘッドギヤを完成させるために取り付けられる。
【００４９】
図２２を参照すると、本発明の保護ヘッドギヤの頭頂部品の分解図が示されている。これは図１６と同様であり、同様の部品は同じ符号が割り当てられている。外側織物層１５が含まれている。最も内側の裏地が２つの構成部品１１ａ、１１ｂで示されており、例えばそれ自体の重量の４０倍まで、水分の迅速な吸収および素早い放出を可能にするために親水性部分と疎水性部分とを組み合わせている。裏地１１は、衛生上の特性の向上のために抗菌物質を組み込んでもよい。
【００５０】
本発明のヘッドギヤは、脳震盪の発生率および／または重度を低下させ、それによって選手の能力を高め、選手の安全性を最大化する。
保護ヘッドギヤを使用する選手は、向上した長期間の健康を得ることになる。頭への繰り返される衝撃の悪影響は周知である。さらに、選手は、脳震盪が試合で被られる最も一般的なラグビーの怪我であるため、より少ない試合を逃すだけで済むことになる。
【００５１】
本発明の保護ヘッドギヤは、選手の頭に伝えられる直線的な衝撃および回転衝撃のＧの力を有意に低下させる。
実験室での試験は、公知のスクラムキャップにおける衝撃性能に対して大きな改善を示した。
【００５２】
臨床前動物研究も完了されている。データは、神経学的齧歯動物モデルにおけるＴＢＩ（外傷性脳損傷）指標（行動および生体指標）の有意な低下を示した。
臨床前動物研究
臨床前動物研究が、脳震盪の発生率を低下させる上で本発明の保護ヘッドギヤの性能を評価するために実行された。
【００５３】
本発明の保護ヘッドギヤが、制御された衝撃に曝される間に齧歯動物の被験体の頭蓋骨を保護するために使用された。研究は２つの疑問を問いている。
１．頭保護体で保護された齧歯動物の挙動が、頭への制御された衝撃の後に劇的に変化したか？
２．ｍＴＢＩを指し示す、保護ヘッドギヤで保護された齧歯動物の血液生体指標が、頭への制御された衝撃の後に劇的に変化したか？
研究の目的は、良好に評価されたＴＢＩ動物モデルによる臨床前の背景において概念の証拠の立証を示すことである。選択されたモデルは、競技の現場で受ける衝撃に類似する制御された衝撃のメカニズムと、良好に特徴付けられた脳震盪の病態生理学と、人における脳震盪に近い忠実性を有する決定的臨床指標とを使用する。最近の出版物は、この臨床前モデルを使用し、血液生体指標および改変遺伝子発現プロファイルなどの脳内で起こる病理学のＴＢＩと臨床的な読み取りとの間の相互関係を確立した。Ｖｉａｎｏ，Ｄ．、Ａ．Ｈａｍｂｅｒｇｅｒ、Ａ．Ｂｏｌｏｕｒｉ、およびＡ．Ｓａｌｊｏ、Ｃｏｎｃｕｓｓｉｏｎ  ｉｎ  ｐｒｏｆｅｓｓｉｏｎａｌ  ｆｏｏｔｂａｌｌ：Ａｎｉｍａｌ  ｍｏｄｅｌ  ｏｆ  ｂｒａｉｎ  ｉｎｊｕｒｙ−Ｐａｒｔ  １５、Ｎｅｕｒｏｓｕｒｇｅｒｙ、２００９年、６４、１１６２−１１７３。Ｍｙｃｈａｓｉｕｋ，Ｒ．、Ｈｅｈａｒ，Ｈ．、Ｍａ，Ｉ．、Ｃａｎｄｙ，Ｓ．、＆  Ｅｓｓｅｒ，ＭＪ．（２０１６年）。Ｔｈｅ  ｄｉｒｅｃｔｉｏｎ  ｏｆ  ｔｈｅ  ａｃｃｅｌｅｒａｔｉｏｎ  ａｎｄ  ｒｏｔａｔｉｏｎａｌ  ｆｏｒｃｅｓ  ａｓｓｏｃｉａｔｅｓ  ｗｉｔｈ  ｍｉｌｄ  ｔｒａｕｍａｔｉｃ  ｂｒａｉｎ  ｉｎｊｕｒｙ  ｉｎ  ｒｏｄｅｎｔｓ  ｅｆｆｅｃｔ  ｂｅｈａｖｉｏｕｒａｌ  ａｎｄ  ｍｏｌｅｃｕｌａｒ  ｏｕｔｃｏｍｅｓ．  Ｊｏｕｒｎａｌ  ｏｆ  Ｎｅｕｒｏｓｃｉｅｎｃｅ  Ｍｅｔｈｏｄｓ．２５７、１６８−１７８。
１．行動分析結果
本発明の保護ヘッドギヤは、ネズミを、５ｍ／ｓ（３７ｇ）で起こる頭の衝撃から生じる脳震盪から保護した。保護効果は、バランス、運動協調性、および試験的な歩行移動を検査する行動測定において明らかとなっている。
【００５４】
（ａ）後脚の足の滑り
本発明の保護ヘッドギヤで保護されていた群の動物は、足の滑る回数または梁を渡る時間において機能障害を呈しなかったのに対して、これらの不具合の両方が、保護されていない群においては存在していた。図２４を参照されたい。
【００５５】
（ｂ）梁を渡る時間
本発明の保護ヘッドギヤを有する動物は、衝撃力に拘わらず、対照群の動物と区別できないのに対して、保護ヘッドギヤのない動物は著しい機能障害を呈した（＊ｐ＜０．０５）。図２５を参照されたい。
【００５６】
（ｃ）進んだ距離
後脚の足の滑りの調査結果と同様に、３７ｇでの衝撃を経験した動物は、本発明の保護ヘッドギヤで保護されているが、対照群の動物と区別ができない。しかしながら、すべての他の動物は、１０分間の期間にわたって進んだ距離において著しい機能障害を呈した。図２６を参照されたい。
【００５７】
１０分間の期間の経過にわたって動物によって取られた経路も記録されている。対照群の動物と、本発明の保護ヘッドギヤを伴う３７ｇの群の動物とは、より遠くまで進んで囲い全体を探索するのに対して、他の動物は活動領域の半分を調査するだけである。
２．血液生体指標分析結果
本発明のヘッドギヤは、ネズミを、５ｍ／ｓ（３７ｇ）で起こる頭の衝撃から生じる脳震盪から保護した。保護効果は、怪我の３時間後におけるＴＮＦ−αおよびＮＥＦＬの生体指標レベルにおいて明らかとなっている。
【００５８】
（ａ）ＮＥＬＦレベル
ＮＥＦＬ血清レベルは、保護を有していない動物において有意な増加を示した。本発明の保護ヘッドギヤは、衝撃についてのこの早い時点において、ＮＥＦ−Ｌにおける有意な変化を防止しており、図２７を参照されたい。
【００５９】
（ｂ）ＴＮＦ−αレベル
本発明の保護ヘッドギヤは、３７ｇの衝撃の群において脳震盪の３時間後におけるＴＮＦ−αにおける低下を防止しており（＊ｐ＜０．０５）、図２８を参照されたい。
【００６０】
直線的な衝撃試験
数回の衝撃落下試験が、直線的な衝撃力を低下させるときに本発明の保護ヘッドギヤの性能を評価するために実行された。衝撃落下試験の目的は次の通りである。
【００６１】
ｉ．本発明の保護ヘッドギヤは、選手の頭へと伝えられる直線的な衝撃力を低下させるか？
ｉｉ．本発明の保護ヘッドギヤは、選手の頭へと伝えられる直線的な衝撃力を、市販されている既存のラグビーのヘッドガードよりも低下させるか？
（ａ）衝撃落下試験結果１
衝撃落下試験の第１の結果は、本発明の保護ヘッドギヤが選手の頭へと伝えられる直線的な衝撃力を低下させたことである。図２９を参照されたい。
【００６２】
（ｂ）衝撃落下試験結果２
衝撃試験の第２の結果は、本発明の保護ヘッドギヤが、選手の頭へと伝えられる直線的な衝撃力を、市販されている既存のラグビーのヘッドガードよりも良好に低下させたことである。図２９を参照されたい。
【００６３】
回転加速試験
数回の回転加速試験が、２人の選手が互いにタックルするとき、回転衝撃力を低下させる際の本発明の保護ヘッドギヤの性能を評価するために実行された。回転加速試験の目的は次の通りである。
【００６４】
１．本発明の保護ヘッドギヤは、頭保護体をまったく着用していない選手と比較して、衝突／タックルにおいて頭部模型の回転加速を低下させるか？ 
（ａ）回転加速試験結果１
回転加速試験の結果は、本発明の保護ヘッドギヤが、頭保護体をまったく着用していない選手と比較して、衝突／タックルにおいて頭部模型の回転加速を低下させたことである。図３０を参照されたい。
【００６５】
ｉ．両方の頭部模型が本発明の保護ヘッドギヤで保護され、２ｍ／秒において試験されるとき、平均回転加速は、２つの保護されていない頭部模型と比較して、５５％低下させられた。
【００６６】
ｉｉ．両方の頭部模型が本発明の保護ヘッドギヤで保護され、３ｍ／秒において試験されるとき、平均回転加速は、２つの保護されていない頭部模型と比較して、３８％低下させられた。
【００６７】
ｉｉｉ．両方の頭部模型が本発明の保護ヘッドギヤで保護され、４ｍ／秒において試験されるとき、平均回転加速は、２つの保護されていない頭部模型と比較して、３０％低下させられた。
【００６８】
本発明の頭保護体が、ラグビーにおける脳震盪の発生率を低下させる一方で、他のコンタクトスポーツを含む他の用途の範囲にわたって保護ヘッドギヤの基礎をも提供することは、理解されたい。
【００６９】
図３１および図３２を参照すると、この場合にはサッカーの競技を行うときに使用するためのものである本発明の保護ヘッドギヤが示されている。ヘッドギヤは、着用者の頭を包み込む主本体部１００を備えている。主本体部１００は、前頭部品１０４によって連結される側頭部品１０２および１０３を有する。側部品１０２、１０３の各々は、側部品１０２、１０３を頭の後部において互いと連結するため紐孔補強部品１０５を、その側縁において有してもいる。これは、先の実施形態において記載したように紐で行われてもよく、ヘッドギヤを使用者の頭に固定する。図３１および図３２の保護ヘッドギヤの様々な層の構造は、ラグビーのヘッドギヤについて前述したものと同じである。
【００７０】
サッカーは世界で最も人気のあるスポーツであり、プロ選手およびアマチュア選手を含め、世界中に２億６千５百万人の選手がいる。サッカーボールをヘディングすることが短期および長期の両方で脳にダメージを引き起こし得る益々の証拠がある。研究は、標準的なサッカーのヘディングが脳の機能に即時の測定可能な変化をもたらすことを示している。短期および長期の記憶の機能および皮質運動野の阻害における変化が、サッカーのヘディングの直後に検出可能である。［ｈｔｔｐ：／／ｗｗｗ．ｅｂｉｏｍｅｄｉｃｉｎｅ．ＣＯＭ／ａｒｔｉｃｌｅ／Ｓ２３５２−３９６４（１６）３０４９０−Ｘ／ａｂｓｔｒａｃｔ］
本発明の保護ヘッドギヤは、使用者にサッカーを競技させることがなおもできるが、頭へと伝えられるサッカーボールからの衝撃を低下させることになる保護ヘッドギヤを提供することで、この問題への解決策を提供する。
【００７１】
図３３および図３４を参照すると、この場合にはボクシングで使用するためのものである本発明の保護ヘッドギヤが示されている。ヘッドギヤは、着用者の頭を包囲するが、このスポーツでは必要とされないため、頭の頭頂への保護を提供しない主本体部２００を備えている。主本体部２００は、前頭部品２０４によって連結される側頭部品２０２および２０３を有する。側部品２０２および２０３は、著しい衝撃を受ける頭の側部への追加的な保護を提供するために、ヘッドギヤの他の部分より厚くなっている。先の実施形態におけるように顎ストラップもある。各側部品２０２、２０３は、顎ストラップをヘッドギヤに取り付けるためのスロット２０５も備えている。先の実施形態におけるように、顎ストラップは交換可能である。側部品２０２、２０３の各々は、側部品２０２、２０３を頭の後部において互いと連結するための紐孔補強部品２０８を、その側縁において有してもいる。これは、先の実施形態において記載したように紐で行われてもよく、ヘッドギヤを使用者の頭に固定する。このスポーツの本質により、ヘッドギヤは、側部２０２および２０３を互いに連結するストラップ２０６と、前頭部品２０４をヘッドギヤの後部に連結するさらなるストラップとによって、さらに固定されている。図３３および図３４の保護ヘッドギヤの様々な層の構造は、ラグビーのヘッドギヤについて記載したものと同じである。
【００７２】
慢性外傷性脳症（ＣＴＥ）は、軽度の繰り返しの外傷性脳損傷（ＴＢＩ）と関連する神経変性疾患である。ＴＢＩによるこの長期の進行性の症状は、ボクシングと関連すると考えられていたため、最初は拳闘酔態症候群またはボクサー痴呆と呼ばれていた。しかしながら、ここ１０年間における軽度の繰り返しのＴＢＩの一連の神経病理学の研究は、ＣＴＥがボクサーだけでなく、アメリカンフットボールの選手、レスラー、および軍人を含む幅広い人々に起こることを明らかにした。［ｈｔｔｐｓ：／／ｗｗｗ．ｎｃｂｉ．ｎｌｍ．ｎｉｈ．ｇｏｖ／ｐｕｂｍｅｄ／２７３９５４６９］
ボクシングにおける従来の保護ヘッドギヤは、ボクサーにおけるＴＢＩの割合を低下させず、周辺視野を不明瞭にさせ、一打が頭の側部において狙われるときに認識するのをより難しくさせるという問題を有する。
【００７３】
本発明の保護ヘッドギヤは、頭へと伝えられるパンチからの衝撃を低下させることでこれらの問題に解決策を提供する。本発明の保護ヘッドギヤは、また、ボクシングにおける従来の保護ヘッドギヤより着用者により良好な周辺視野を提供する。
【００７４】
図３５および図３６を参照すると、この場合には総合格闘技（ＭＭＡ）で使用される本発明の保護ヘッドギヤが示されている。ヘッドギヤは、着用者の頭を包囲する主本体部３００を備えている。主本体部３００は、前頭部品３０４によって連結される一対の側頭部品３０２、３０３と、前頭部品３０４から延びる頭頂部品３０６とを有する。ボクシングのために使用されるときと同様に、側部品３０２および３０３は、著しい衝撃を受ける頭の側部への追加的な保護を提供するために、ヘッドギヤの他の部分より厚くなっている。側部品３０２、３０３の各々は、側部品３０２、３０３を頭の後部において互いと連結するための紐孔補強部品３０８を、その側縁において有してもいる。図３５および図３６の保護ヘッドギヤの様々な層の構造は、ラグビーのヘッドギヤについて記載したものと同じである。
【００７５】
総合格闘技（ＭＭＡ）は、医師会からの著しい監視にも拘らず、人気が近年世界中で高まっている完全な格闘技である。研究は、ＭＭＡにおけるノックアウト（ＫＯ）およびテクニカルノックアウト（ＴＫＯ）の割合が、試合終了の頭部外傷のため、他の格闘技およびコンタクトスポーツにおいて以前に報告されている割合よりも高いことを示している。［ｈｔｔｐｓ：／／ｗｗｗ．ｎｃｂｉ．ｎｌｍ．ｎｉｈ．ｇｏｖ／ｐｕｂｍｅｄ／２４６５８３４５］
本発明の保護ヘッドギヤは、頭へと伝えられるパンチまたはキックからの衝撃を低下させることでこれらの問題に解決策を提供する。本発明の保護ヘッドギヤは、また、ＭＭＡにおける従来の保護ヘッドギヤより着用者により良好な周辺視野を提供する。
【００７６】
本発明は、先に記載した実施形態に限定されず、構造および詳細において変えられてもよい。
【図１】
2019506544.tif 000003
【図２】
2019506544.tif 000004
【図３】
2019506544.tif 000005
【図４】
2019506544.tif 000006
【図５】
2019506544.tif 000007
【図６】
2019506544.tif 000008
【図７】
2019506544.tif 000009
【図８】
2019506544.tif 000010
【図９】
2019506544.tif 000011
【図１０】
2019506544.tif 000012
【図１１】
2019506544.tif 000013
【図１２】
2019506544.tif 000014
【図１３】
2019506544.tif 000015
【図１４】
2019506544.tif 000016
【図１５】
2019506544.tif 000017
【図１６】
2019506544.tif 000018
【図１７】
2019506544.tif 000019
【図１８】
2019506544.tif 000020
【図１９】
2019506544.tif 000021
【図２０】
2019506544.tif 000022
【図２１】
2019506544.tif 000023
【図２２】
2019506544.tif 000024
【図２３】
2019506544.tif 000025
【図２４】
2019506544.tif 000026
【図２５】
2019506544.tif 000027
【図２６】
2019506544.tif 000028
【図２７】
2019506544.tif 000029
【図２８】
2019506544.tif 000030
【図２９】
2019506544.tif 000031
【図３０】
2019506544.tif 000032
【図３１】
2019506544.tif 000033
【図３２】
2019506544.tif 000034
【図３３】
2019506544.tif 000035
【図３４】
2019506544.tif 000036
【図３５】
2019506544.tif 000037
【図３６】
2019506544.tif 000038
【国際調査報告】
2019506544.tif 000039
2019506544.tif 000040
2019506544.tif 000041